【事件の表示】
　国際登録第９０３８３２号に係る国際商標登録出願の拒絶査定に対する審判事件について、次のとおり審決する。
【結論】
　原査定を取り消す。
　本願商標は、登録すべきものとする。
【理由】
１　本願商標
　本願商標は、「ＣＨＯＰ　ＳＯＣＫＹ　ＣＨＯＣＫＳ」の欧文字を横書きにしてなり、第３類、第９類、第１４類、第１６類、第１８類、第２０類、第２１類、第２５類、第２８類、第２９類、第３０類、第３２類及び第４１類に属する商品及び役務を指定商品及び指定役務として、２００５年１０月１４日にＵｎｉｔｅｄ　Ｋｉｎｇｄｏｍにおいてした商標登録出願に基づいてパリ条約第４条による優先権を主張し、２００６年４月１３日に国際登録されたものである。
　そして、指定商品及び指定役務については、原審において、平成２０年１月２１日付け手続補正書が提出された結果、最終的に、第３類「Ｂｌｅａｃｈｉｎｇ　ｐｒｅｐａｒａｔｉｏｎｓ　ａｎｄ　ｏｔｈｅｒ　ｓｕｂｓｔａｎｃｅｓ　ｆｏｒ　ｌａｕｎｄｒｙ　ｕｓｅ；ｃｌｅａｎｉｎｇ，ｐｏｌｉｓｈｉｎｇ，ｓｃｏｕｒｉｎｇ　ａｎｄ　ａｂｒａｓｉｖｅ　ｐｒｅｐａｒａｔｉｏｎｓ；ｓｏａｐｓ；ｐｅｒｆｕｍｅｒｙ，ｅｓｓｅｎｔｉａｌ　ｏｉｌｓ，ｃｏｓｍｅｔｉｃｓ，ｈａｉｒ　ｌｏｔｉｏｎｓ；ｄｅｎｔｉｆｒｉｃｅｓ；ｂｏｄｙ　ｃａｒｅ　ｐｒｏｄｕｃｔｓ；ｌｉｑｕｉｄ　ｓｏａｐｓ，ｓｈｏｗｅｒ　ａｎｄ　ｂａｔｈ　ｇｅｌ，ｓｈｏｗｅｒ　ａｎｄ　ｂａｔｈ　ｆｏａｍ；ｎｏｎ−ｍｅｄｉｃａｔｅｄ　ｓａｌｔｓ，ｏｉｌｓ　ａｎｄ　ｏｔｈｅｒ　ａｄｄｉｔｉｖｅｓ　ｆｏｒ　ｕｓｅ　ｉｎ　ｂａｔｈ　ａｎｄ　ｉｎ　ｓｈｏｗｅｒｓ；ｐｏｔｐｏｕｒｒｉｓ（ｆｒａｇｒａｎｃｅｓ）；ｈａｉｒ　ｃａｒｅ　ｐｒｅｐａｒａｔｉｏｎｓ，ｈａｉｒ　ｓｈａｍｐｏｏ；ｔｏｉｌｅｔ　ｗａｔｅｒｓ，ｅａｕ　ｄｅ　ｃｏｌｏｇｎｅ；ｃｒｅａｍｓ，ｌｏｔｉｏｎｓ，ｍｉｌｋｓ，ｏｉｌｓ，ｐｏｗｄｅｒｓ　ａｎｄ　ｏｉｎｔｍｅｎｔｓ　ｆｏｒ　ｔｈｅ　ｃａｒｅ　ａｎｄ　ｔｈｅ　ｃｌｅａｎｓｉｎｇ　ｏｆ　ｔｈｅ　ｓｋｉｎ，ｂｏｄｙ，ｈａｎｄｓ　ａｎｄ　ｆｅｅｔ；ｄｅｏｄｏｒａｎｔｓ　ａｎｄ　ａｎｔｉｐｅｒｓｐｉｒａｎｔｓ　ｆｏｒ　ｐｅｒｓｏｎａｌ　ｕｓｅ；ｔａｌｃｕｍ　ｐｏｗｄｅｒ；ａｆｔｅｒ−　ａｎｄ　ｐｒｅ−ｓｈａｖｉｎｇ　ｐｒｅｐａｒａｔｉｏｎｓ，ｓｈａｖｉｎｇ　ｃｒｅａｍ，ｓｈａｖｉｎｇ　ｍｏｕｓｓｅ，ｓｈａｖｉｎｇ　ｇｅｌ，ｓｈａｖｉｎｇ　ｏｉｌ　ａｎｄ　ｓｈａｖｉｎｇ　ｆｏａｍ；ｃｏｓｍｅｔｉｃ　ｓｕｎｔａｎｎｉｎｇ　ｐｒｅｐａｒａｔｉｏｎｓ，ｃｏｓｍｅｔｉｃ　ｓｕｎ　ｐｒｏｔｅｃｔｉｎｇ　ｐｒｅｐａｒａｔｉｏｎｓ，ｃｏｓｍｅｔｉｃ　ｐｒｅｐａｒａｔｉｏｎｓ　ａｇａｉｎｓｔ　ｓｕｎ　ｂｕｒｎ．」、第９類「Ｅｘｐｏｓｅｄ　ｃｉｎｅｍａｔｏｇｒａｐｈｉｃ　ｆｉｌｍｓ；ｍｅｄｉａ　ｆｏｒ　ｓｔｏｒａｇｅ　ａｎｄ／ｏｒ　ｒｅｐｒｏｄｕｃｔｉｏｎ　ｏｆ　ｓｏｕｎｄ　ａｎｄ／ｏｒ　ｖｉｓｕａｌ　ｉｍａｇｅｓ；ｐｒｅ−ｒｅｃｏｒｄｅｄ　ｄｉｓｃｓ，ｒｅｃｏｒｄｓ，ｒｅｃｏｒｄｅｄ　ｏｒ　ｂｌａｎｋ　ｍａｇｎｅｔｉｃ　ｔａｐｅｓ，ＣＤ−ＲＯＭＳ；ｓｏｕｎｄ　ａｎｄ　ｖｉｄｅｏ　ｒｅｃｏｒｄｉｎｇｓ；ｉｎｔｅｒａｃｔｉｖｅ　ａｎｄ　ｍｕｌｔｉ−ｍｅｄｉａ　ｓｏｆｔｗａｒｅ；ｐｕｂｌｉｃａｔｉｏｎｓ　ｉｎ　ｅｌｅｃｔｒｏｎｉｃ　ｆｏｒｍ；ｃｏｍｐｕｔｅｒ　ｓｏｆｔｗａｒｅ　ｒｅｌａｔｉｎｇ　ｔｏ　ｅｎｔｅｒｔａｉｎｍｅｎｔ　ａｎｄ　ａｎｉｍａｔｉｏｎ；ｃａｍｅｒａｓ，ｇｌａｓｓｅｓ，ｃｏｎｔａｃｔ　ｌｅｎｓｅｓ，ｇｌａｓｓｅｓ　ｃａｓｅｓ，ｓｕｎｇｌａｓｓｅｓ，ｍｏｂｉｌｅ　ｐｈｏｎｅ　ｓｔｒａｐｓ；ｍｏｕｓｅ　ｐａｄｓ　ａｎｄ　ｏｔｈｅｒ　ＰＣ　ａｃｃｅｓｓｏｒｉｅｓ　ｎａｍｅｌｙ　ＣＤ　ｈｏｌｄｅｒｓ，ｄｉｓｋ　ｄｒｉｖｅｓ，ｄｕｓｔ　ｃｏｖｅｒｓ，ｄｉｇｉｔａｌ　ｖｅｒｓａｔｉｌｅ　ｄｉｓｋ（ＤＶＤ）ｄｒｉｖｅｓ，ｋｅｙｂｏａｒｄｓ，ｍｏｎｉｔｏｒ　ａｒｍｓ，ｍｏｎｉｔｏｒ　ｓｔａｎｄｓ，ｍｏｕｓｅ　ｈｏｌｄｅｒｓ，ｍｏｕｓｅｓ，ｍｏｕｓｅ　ｐｅｎｓ，ｐｒｉｎｔｅｒｓ，ｍｏｔｏｒｃｙｃｌｅ　ｈｅｌｍｅｔｓ；ＴＶ　ｇａｍｅｓ；ａｕｄｉｏ　ａｎｄ　ｓｐｅａｋｅｒ　ｓｅｔｓ　ｆｏｒ　ｃａｒｓ；ＣＤ　ｈｏｌｄｅｒｓ　ａｎｄ　ｃａｓｓｅｔｔｅ　ｈｏｌｄｅｒｓ　ｆｏｒ　ｃａｒｓ；ｆｉｒｅ　ｅｘｔｉｎｇｕｉｓｈｅｒｓ　ｆｏｒ　ｃａｒｓ；ｓｕｎｇｌａｓｓ　ｈｏｌｄｅｒｓ　ｆｏｒ　ｃａｒｓ；ｄｅｃｏｒａｔｉｖｅ　ｍａｇｎｅｔｓ．」、第１４類「Ｐｒｅｃｉｏｕｓ　ｍｅｔａｌｓ　ａｎｄ　ｔｈｅｉｒ　ａｌｌｏｙｓ　ａｎｄ　ｇｏｏｄｓ　ｉｎ　ｐｒｅｃｉｏｕｓ　ｍｅｔａｌｓ　ｏｒ　ｃｏａｔｅｄ　ｔｈｅｒｅｗｉｔｈ，ｎｏｔ　ｉｎｃｌｕｄｅｄ　ｉｎ　ｏｔｈｅｒ　ｃｌａｓｓｅｓ；ｊｅｗｅｌｌｅｒｙ，ｐｒｅｃｉｏｕｓ　ｓｔｏｎｅｓ；ｈｏｒｏｌｏｇｉｃａｌ　ａｎｄ　ｃｈｒｏｎｏｍｅｔｒｉｃ　ｉｎｓｔｒｕｍｅｎｔｓ；ｗｒｉｓｔ　ｗａｔｃｈｅｓ；ｃｕｆｆ　ｌｉｎｋｓ；ｋｅｙ　ｃｈａｉｎｓ；ｋｅｙ　ｒｉｎｇｓ．」、第１６類「Ｃｏｍｐｕｔｅｒ　ｐａｐｅｒ，ｃｏｐｙ　ｐａｐｅｒ，ｄｒａｗｉｎｇ　ｐａｐｅｒ，ｔｏｉｌｅｔ　ｐａｐｅｒ　ａｎｄ　ｔｉｓｓｕｅｓ，ｏｔｈｅｒ　ｐａｐｅｒ；ｗｒｉｔｉｎｇ　ｐａｐｅｒ；ｃａｒｄｂｏａｒｄ　ａｎｄ　ｃａｒｄｂｏａｒｄ　ａｒｔｉｃｌｅｓ；ｂｏｏｋｂｉｎｄｉｎｇ　ｍａｔｅｒｉａｌ；ａｒｔｉｓｔｓ’　ｍａｔｅｒｉａｌｓ；ｐａｉｎｔ　ｂｒｕｓｈｅｓ；ｐｒｉｎｔｅｄ　ｍａｔｔｅｒ，ｂｒｏｃｈｕｒｅｓ，ｎｅｗｓｐａｐｅｒｓ，ｐｅｒｉｏｄｉｃａｌｓ，ｍａｇａｚｉｎｅｓ，ｂｏｏｋｓ，ｃａｒｄｓ，ｐｏｓｔｃａｒｄｓ，ｂｏｏｋ　ｍａｒｋｅｒｓ；ｃａｌｅｎｄａｒｓ；ｗｒａｐｐｉｎｇ　ｐａｐｅｒ；ｐｈｏｔｏ　ｓｔａｎｄｓ；ｓｔａｔｉｏｎｅｒｙ；ｅｎｖｅｌｏｐｅｓ，ｍｅｍｏ　ｐａｄｓ，ｎｏｔｅ　ｐａｄｓ，ｄｒａｗｉｎｇ　ｐａｄｓ，ｃａｒｄｓ；ｇｒｅｅｔｉｎｇ　ｃａｒｄｓ；ｆｏｌｄｅｒｓ；ｗｒｉｔｉｎｇ　ｃａｓｅｓ；ｒｕｂｂｅｒ　ｅｒａｓｅｒｓ，ｐｅｎｃｉｌ　ｈｏｌｄｅｒｓ；ａｄｈｅｓｉｖｅｓ　ｆｏｒ　ｓｔａｔｉｏｎｅｒｙ　ｏｒ　ｈｏｕｓｅｈｏｌｄ　ｐｕｒｐｏｓｅｓ，ａｄｈｅｓｉｖｅ　ｔａｐｅ　ｆｏｒ　ｓｔａｔｉｏｎｅｒｙ　ａｎｄ　ｈｏｕｓｅｈｏｌｄ　ｐｕｒｐｏｓｅｓ；ｗｒｉｔｉｎｇ　ｉｎｓｔｒｕｍｅｎｔｓ；ｐｅｎｃｉｌｓ，ｃｒａｙｏｎｓ，ｃｈａｌｋｓ；ｐｅｎｃｉｌ　ｓｈａｒｐｅｎｅｒｓ；ｔｒａｃｉｎｇ　ｐａｐｅｒ；ｍｏｄｅｌｌｉｎｇ　ｍａｔｅｒｉａｌｓ；ｐｅｎｃｉｌ　ｃａｓｅｓ；ｐａｉｎｔ　ｂｒｕｓｈｅｓ；ｔｒａｎｓｆｅｒｓ（ｄｅｃａｌｃｏｍａｎｉａｓ），ｓｔｉｃｋｅｒｓ；ｃｏｌｏｕｒｉｎｇ　ｓｅｔｓ　ｃｏｎｓｉｓｔｉｎｇ　ｏｆ　ｃｏｌｏｕｒｉｎｇ　ｉｎｓｔｒｕｍｅｎｔｓ　ａｎｄ　ｐｒｉｎｔｅｄ　ｍａｔｔｅｒ；ｐａｐｅｒ　ｃｒａｆｔ　ｓｅｔｓ　ｃｏｎｓｉｓｔｉｎｇ　ｏｆ　ｃｏｌｏｕｒｅｄ　ｐａｐｅｒ　ｆｏｒ　ｆｏｌｄｉｎｇ　ａｎｄ　ｉｎｓｔｒｕｃｔｉｏｎｓ　ｆｏｒ　ｕｓｅ　ｔｈｅｒｅｗｉｔｈ；ｔａｘ　ｄｉｓｃ　ｈｏｌｄｅｒｓ　ｆｏｒ　ｃａｒｓ　ａｎｄ　ｍｏｔｏｒｃｙｃｌｅｓ．」、第１８類「Ｂａｇｓ　ｉｎｃｌｕｄｉｎｇ　ｒｕｃｋｓａｃｋｓ，ｓｐｏｒｔｓ　ｂａｇｓ，ｈａｎｄｂａｇｓ　ａｎｄ　ｐｕｒｓｅｓ；ｌｅａｔｈｅｒ　ａｎｄ　ｉｍｉｔａｔｉｏｎｓ　ｏｆ　ｌｅａｔｈｅｒ，ａｎｄ　ｇｏｏｄｓ　ｍａｄｅ　ｏｆ　ｔｈｅｓｅ　ｍａｔｅｒｉａｌｓ；ａｎｉｍａｌｓ　ｓｋｉｎｓ，ｈｉｄｅｓ；ｔｒｕｎｋｓ　ａｎｄ　ｔｒａｖｅｌｌｉｎｇ　ｂａｇｓ；ｕｍｂｒｅｌｌａｓ，ｐａｒａｓｏｌｓ　ａｎｄ　ｗａｌｋｉｎｇ　ｓｔｉｃｋｓ；ｗｈｉｐｓ，ｈａｒｎｅｓｓ　ａｎｄ　ｓａｄｄｌｅｒｙ；ｔｏｉｌｅｔｒｙ　ｐｏｕｃｈｅｓ（ｅｍｐｔｙ）；ｃｌｏｔｈｉｎｇ　ｆｏｒ　ｐｅｔｓ，ｎａｍｅｌｙ　ｃｌｏｔｈｉｎｇ　ａｎｄ　ｈｅａｄｇｅａｒ　ｆｏｒ　ｄｏｇｓ．」、第２０類「Ｆｕｒｎｉｔｕｒｅ，ｍｉｒｒｏｒｓ，ｐｉｃｔｕｒｅ　ｆｒａｍｅｓ；ｊｅｗｅｌｌｅｒｙ　ｃａｓｅｓ，ｎｏｔ　ｏｆ　ｐｒｅｃｉｏｕｓ　ｍｅｔａｌｓ；ｓｔａｔｕｅｔｔｅｓ　ａｎｄ　ｆｉｇｕｒｉｎｅｓ　ｏｆ　ｗｏｏｄ，ｗａｘ，ｐｌａｓｔｅｒ　ｏｒ　ｐｌａｓｔｉｃ；ｔｒａｙｓ．」、第２１類「Ｈｏｕｓｅｈｏｌｄ　ｏｒ　ｋｉｔｃｈｅｎ　ｕｔｅｎｓｉｌｓ　ａｎｄ　ｃｏｎｔａｉｎｅｒｓ（ｎｏｔ　ｏｆ　ｐｒｅｃｉｏｕｓ　ｍｅｔａｌ　ｏｒ　ｃｏａｔｅｄ　ｔｈｅｒｅｗｉｔｈ）；ｃｕｐ　ｈｏｌｄｅｒｓ　ｆｏｒ　ｃａｒｓ；ｇｌａｓｓｗａｒｅ，ｐｏｒｃｅｌａｉｎ　ａｎｄ　ｅａｒｔｈｅｎｗａｒｅ；ｔｏｏｔｈｂｒｕｓｈｅｓ；ｐａｎｓ，ｋｅｔｔｌｅｓ，ｄｉｓｈｅｓ，ｌｕｎｃｈ　ｂｏｘｅｓ，ｗａｓｔｅ　ｂａｓｋｅｔｓ，ｇｌａｓｓ　ｄｉｓｈｅｓ，ｐｌａｎｔｅｒｓ，ｖａｓｅｓ，ｃａｎｄｌｅ　ｓｔａｎｄｓ，ｓｈｏｅｈｏｒｎｓ．」、第２５類「Ｃｌｏｔｈｉｎｇ，ａｐｒｏｎｓ，ｓｏｃｋｓ，ｓｃａｒｖｅｓ，ｎｅｃｋｔｉｅｓ，ｍｕｆｆｌｅｒｓ，ｂｅｌｔｓ，ｄｒｅｓｓｅｓ，ｃｏａｔｓ，ｓｗｉｍ　ｓｕｉｔｓ，ｐｙｊａｍａｓ；ｆｏｏｔｗｅａｒ，ｓｈｏｅｓ，Ｊａｐａｎｅｓｅ　ｓｌｉｐｐｅｒｓ；ｈｅａｄｇｅａｒ，ｃａｐｓ，ｃｌｏｔｈｉｎｇ　ｏｆ　ｌｅａｔｈｅｒ（ｎａｍｅｌｙ　ｊａｃｋｅｔｓ　ａｎｄ　ｔｒｏｕｓｅｒｓ），ｂｏｏｔｓ，ｇｌｏｖｅｓ　ａｎｄ　ｗａｔｅｒｐｒｏｏｆ　ｓｕｉｔｓ　ｆｏｒ　ｍｏｔｏｒｃｙｃｌｉｓｔｓ．」、第２８類「Ｐｕｐｐｅｔｓ　ａｎｄ　ｔｏｙ　ｍｏｄｅｌ　ａｎｉｍａｌｓ；ｔｏｙ　ｍａｓｋｓ；ｔｏｙｓ；ｇａｍｅｓ　ａｎｄ　ｐｌａｙｔｈｉｎｇｓ；ｓｐｏｒｔｉｎｇ　ａｒｔｉｃｌｅｓ；ｐｌａｙｇｒｏｕｎｄ　ａｃｔｉｖｉｔｙ　ａｐｐａｒａｔｕｓ；ｄｅｃｏｒａｔｉｏｎｓ　ｆｏｒ　Ｃｈｒｉｓｔｍａｓ　ｔｒｅｅｓ；ｐｌｕｓｈ　ｄｏｌｌｓ；ｐｌａｙｉｎｇ　ｃａｒｄｓ．」、第２９類「Ｍｅａｔ；ｆｉｓｈ；ｐｏｕｌｔｒｙ；ｇａｍｅ；ｍｅａｔ　ｅｘｔｒａｃｔｓ；ｐｒｅｓｅｒｖｅｄ，ｄｒｉｅｄ　ａｎｄ　ｃｏｏｋｅｄ　ｆｒｕｉｔ；ｃａｎｄｉｅｄ，ｓｈｅｌｌｅｄ　ａｎｄ　ｒｏａｓｔｅｄ　ｎｕｔｓ；ｐｉｃｋｌｅｄ，ｃａｎｎｅｄ　ａｎｄ　ｂｏｔｔｌｅｄ，ｗｈｏｌｅ　ｏｒ　ｓｌｉｃｅｄ　ｖｅｇｅｔａｂｌｅｓ；ｊｅｌｌｉｅｓ，ｊａｍｓ，ｆｒｕｉｔ　ｓａｕｃｅｓ；ｅｇｇｓ；ｍｉｌｋ　ａｎｄ　ｍｉｌｋ　ｐｒｏｄｕｃｔｓ；ｙｏｇｕｒｔ；ｃｈｅｅｓｅ；ｃｏｔｔａｇｅ　ｃｈｅｅｓｅ；ｅｄｉｂｌｅ　ｏｉｌｓ；ｅｄｉｂｌｅ　ｆａｔｓ；ｓｎａｃｋ　ｆｏｏｄｓ，ｎａｍｅｌｙ　ｓａｌｔｅｄ　ｓｎａｃｋｓ　ａｎｄ　ｐｏｔａｔｏ　ｓｎａｃｋｓ．」、第３０類「Ｃｏｆｆｅｅ，ｔｅａ，ｃｏｃｏａ，ｓｕｇａｒ，ｒｉｃｅ，ｔａｐｉｏｃａ，ｓａｇｏ，ａｒｔｉｆｉｃｉａｌ　ｃｏｆｆｅｅ；ｆｌｏｕｒ　ａｎｄ　ｐｒｅｐａｒａｔｉｏｎｓ　ｍａｄｅ　ｆｒｏｍ　ｃｅｒｅａｌｓ，ｂｒｅａｄ，ｐａｓｔｒｙ　ａｎｄ　ｃｏｎｆｅｃｔｉｏｎｅｒｙ，ｃａｎｄｙ　ａｎｄ　ｏｔｈｅｒ　ｓｗｅｅｔｓ，ｉｃｅｓ；ｈｏｎｅｙ，ｔｒｅａｃｌｅ；ｙｅａｓｔ，ｂａｋｉｎｇ−ｐｏｗｄｅｒ；ｓａｌｔ，ｍｕｓｔａｒｄ；ｖｉｎｅｇａｒ，ｓａｕｃｅｓ（ｃｏｎｄｉｍｅｎｔｓ）；ｓｐｉｃｅｓ；ｉｃｅ；ｓｎａｃｋ　ｆｏｏｄｓ，ｎａｍｅｌｙ　ｃｒｉｓｐｓ，ｃｈｉｐｓ，ｐｒｅｔｚｅｌｓ，ｐｏｐｃｏｒｎ，ｎｕｔｓ，ｆｒｕｉｔ　ｂａｒｓ，ｂｉｓｃｕｉｔｓ，ｃａｋｅｓ　ａｎｄ　ｃａｋｅ　ｍｉｘｅｓ．」、第３２類「Ｂｅｅｒｓ；ｍｉｎｅｒａｌ　ａｎｄ　ａｅｒａｔｅｄ　ｗａｔｅｒｓ　ａｎｄ　ｏｔｈｅｒ　ｎｏｎ−ａｌｃｏｈｏｌｉｃ　ｄｒｉｎｋｓ；ｆｒｕｉｔ　ｄｒｉｎｋｓ　ａｎｄ　ｆｒｕｉｔ　ｊｕｉｃｅｓ；ｓｙｒｕｐｓ　ａｎｄ　ｏｔｈｅｒ　ｐｒｅｐａｒａｔｉｏｎｓ　ｆｏｒ　ｍａｋｉｎｇ　ｂｅｖｅｒａｇｅｓ．」及び第４１類「Ｅｎｔｅｒｔａｉｎｍｅｎｔ；ｐｒｏｄｕｃｔｉｏｎ，ｒｅｃｏｒｄｉｎｇ　ａｎｄ　ｄｉｓｔｒｉｂｕｔｉｏｎ　ｏｆ　ｆｉｌｍｓ，ｒａｄｉｏ　ａｎｄ　ｔｅｌｅｖｉｓｉｏｎ　ｐｒｏｇｒａｍｍｅｓ，ｖｉｄｅｏ，ａｕｄｉｏ　ａｎｄ　ｍｕｌｔｉ−ｍｅｄｉａ　ｒｅｃｏｒｄｉｎｇｓ；ｒｅｃｏｒｄｉｎｇ　ｓｔｕｄｉｏ　ｓｅｒｖｉｃｅｓ；ｐｒｏｖｉｄｉｎｇ　ｏｆ　ａｎｉｍａｔｅｄ　ｉｍａｇｅｓ　ａｎｄ　ｏｔｈｅｒ　ｓｐｅｃｉａｌ　ｅｆｆｅｃｔｓ　ｆｏｒ　ｒａｄｉｏ，ｔｅｌｅｖｉｓｉｏｎ　ｏｒ　ｆｉｌｍｓ；ｐｒｏｄｕｃｔｉｏｎ　ａｎｄ　ｐｒｅｓｅｎｔａｔｉｏｎ　ｏｆ　ｌｉｖｅ　ｐｅｒｆｏｒｍａｎｃｅｓ，ｐｒｏｖｉｄｉｎｇ　ｍｏｖｉｅ　ａｎｄ　ｓｔａｇｅ　ｔｈｅａｔｒｅ　ｆａｃｉｌｉｔｉｅｓ，ｐｕｂｌｉｃａｔｉｏｎ　ｓｅｒｖｉｃｅｓ；ｅｌｅｃｔｒｏｎｉｃ　ｇａｍｅｓ　ｓｅｒｖｉｃｅｓ　ｐｒｏｖｉｄｅｄ　ｂｙ　ｍｅａｎｓ　ｏｆ　ｃｏｍｐｕｔｅｒ　ａｎｄ　ｃｏｍｍｕｎｉｃａｔｉｏｎ　ｎｅｔｗｏｒｋｓ；ｐｒｏｖｉｄｉｎｇ　ｏｎ−ｌｉｎｅ　ｅｌｅｃｔｒｏｎｉｃ　ｐｕｂｌｉｃａｔｉｏｎｓ；ｉｎｆｏｒｍａｔｉｏｎ　ｒｅｌａｔｉｎｇ　ｔｏ　ｅｎｔｅｒｔａｉｎｍｅｎｔ．」に補正されたものである。
２　原査定の拒絶の理由の要点
　原査定は、「本願商標は、英国の著名なアニメーション映画の名称である『ＣＨＯＰ　ＳＯＣＫＹ　ＣＨＯＣＫＳ』の欧文字を普通に用いられる方法で表してなるから、これを本願指定商品及び指定役務中の第９類、第１６類及び第４１類の商品及び役務に使用しても、前記アニメーション映画を内容する商品、あるいは前記アニメーション映画を内容とする役務の提供であることを直ちに認識させ、単に商品の品質及び役務の質、内容を表示するにすぎないものと認める。したがって、本願商標は、商標法第３条第１項第３号に該当し、第９類及び第１６類に属する前記商品以外の商品及び第４１類に属する前記役務以外の役務に使用するときは商品の品質及び役務の質の誤認を生じさせるおそれがあり、同法第４条第１項第１６号に該当する。」旨認定、判断して本願を拒絶したものである。
３　当審の判断
　本願商標は、上記１のとおり「ＣＨＯＰ　ＳＯＣＫＹ　ＣＨＯＣＫＳ」の文字を書してなるところ、「ＣＨＯＰ　ＳＯＣＫＹ　ＣＨＯＣＫＳ」をタイトルとした、テレビアニメ番組が、英国において、放送されている事実は認められるものの、我が国において、前記テレビアニメ番組が放送された事実も見当たらず、需要者・取引者が、「ＣＨＯＰ　ＳＯＣＫＹ　ＣＨＯＣＫＳ」の文字を直ちにテレビアニメ番組のタイトルと認識するとはいい難いものである。
　さらに、当審において職権により調査すると、「ＣＨＯＰ　ＳＯＣＫＹ　ＣＨＯＣＫＳ」をタイトルとしたテレビアニメ番組の内容は毎回異なるものであり、かつ、内容も特定された不変なものとは認められないものである。
　してみれば、本願商標は、原審説示のように特定の商品の品質及び役務の質等を直ちに認識し、理解させるものということはできない。
　そうとすると、本願商標を、第９類、第１６類及び第４１類に属する指定商品及び指定役務について使用しても、商品の品質あるいは役務の質を表示したものとはいえず、自他商品及び自他役務の識別標識としての機能を十分に果たし得るものであり、また、いずれの商品及び役務に使用しても、商品の品質または役務の質について誤認を生じさせるおそれもないものである。
　したがって、本願商標が商標法第３条第１項第３号及び同法第４条第１項第１６号に該当するとして本願を拒絶した原査定は、取消しを免れない。
　その他、政令で定める期間内に本願について拒絶の理由を発見しない。
　よって、結論のとおり審決する。